(57)【特許請求の範囲】
【請求項１】
無線通信システム内のユーザ機器においてサウンディング参照信号（ＳＲＳ）を伝送する方法であって、該方法は、
該ＳＲＳのための少なくとも１つのパラメータを上位層によって構成することと、
該上位層によって始動された周期的ＳＲＳと、基地局から受信された指示によって始動された追加的ＳＲＳとのうちの少なくとも１つを、該少なくとも１つのパラメータに基づいて該基地局に伝送することと
を含み、
該周期的ＳＲＳの伝送と該追加的ＳＲＳの伝送との両方が同一のサブフレーム内で生じた場合、該指示によって始動された該追加的ＳＲＳのみが該基地局に伝送され、該上位層によって始動された該周期的ＳＲＳはドロッピングされる、方法。
【請求項２】
前記周期的ＳＲＳと前記追加的ＳＲＳとの両方がサブフレームの最後のシンボル上で伝送される、請求項１に記載の方法。
【請求項３】
前記追加的ＳＲＳは、非周期的に前記基地局に伝送される、請求項１に記載の方法。
【請求項４】
無線通信システム内のユーザ機器であって、該ユーザ機器は、
サウンディング参照信号（ＳＲＳ）のための少なくとも１つのパラメータを上位層シグナリングによって構成するプロセッサと、
該上位層シグナリングによって始動された周期的ＳＲＳと、基地局から受信された指示によって始動された追加的ＳＲＳとのうちの少なくとも１つを、該少なくとも１つのパラメータに基づいて伝送する送信モジュールと
を含み、
該周期的ＳＲＳの伝送と該追加的ＳＲＳの伝送との両方が同一のサブフレーム内で生じた場合、該追加的ＳＲＳのみが該基地局に伝送され、上位層によって始動された該周期的ＳＲＳはドロッピングされる、ユーザ機器。
【請求項５】
前記周期的ＳＲＳと前記追加的ＳＲＳとの両方が、サブフレームの最後のシンボル上で伝送される、請求項４に記載のユーザ機器。
【請求項６】
前記追加的ＳＲＳは、非周期的に前記基地局に伝送される、請求項４に記載のユーザ機器。
【発明の詳細な説明】
【技術分野】
【０００１】
本発明は、無線通信システムに係り、特に、無線通信システムにおいて端末がサウンディング参照信号を基地局に送信する方法及びそのための装置に関するものである。
【背景技術】
【０００２】
本発明を適用できる移動通信システムの一例として、３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；以下、「ＬＴＥ」という。）通信システムについて概略的に説明する。
【０００３】
図１は、移動通信システムの一例として、Ｅ−ＵＭＴＳネットワーク構造を概略的に示す図である。Ｅ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）システムは、既存ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）から進化したシステムであり、現在３ＧＰＰにおいて基礎的な標準化作業が進行中である。一般に、Ｅ−ＵＭＴＳをＬＴＥ（Ｌｏｎｇ  Ｔｅｒｍ  Ｅｖｏｌｕｔｉｏｎ）システムと呼ぶこともできる。ＵＭＴＳ及びＥ−ＵＭＴＳの技術規格（ｔｅｃｈｎｉｃａｌ  ｓｐｅｃｉｆｉｃａｔｉｏｎ）の詳細な内容はそれぞれ、「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ  ７とＲｅｌｅａｓｅ  ８を参照すればよい。
【０００４】
図１を参照すると、Ｅ−ＵＭＴＳは、端末（Ｕｓｅｒ  Ｅｑｕｉｐｍｅｎｔ；ＵＥ）１２０、基地局（ｅＮｏｄｅＢ；ｅＮＢ）１１０ａ及び１１０ｂ、及びネットワーク（Ｅ−ＵＴＲＡＮ）の終端に位置して、外部ネットワークと接続されるアクセスゲートウェイ（Ａｃｃｅｓｓ  Ｇａｔｅｗａｙ；ＡＧ）を含む。基地局は、ブロードキャストサービス、マルチキャストサービス及び／またはユニキャストサービスのために多重データストリームを同時に伝送することができる。
【０００５】
一つの基地局には一つ以上のセルが存在する。セルは、１．２５、２．５、５、１０、１５、２０ＭＨｚなどの帯域幅のいずれか一つに設定され、多数の端末に下りまたは上り伝送サービスを提供する。異なるセルは、互いに異なる帯域幅を提供するように設定されればよい。基地局は、多数の端末に対するデータ送受信を制御する。ダウンリンク（Ｄｏｗｎｌｉｎｋ；ＤＬ）データに対して、基地局は、ダウンリンクスケジューリング情報を伝送することで、該当の端末にデータが伝送される時間／周波数領域、符号化、データサイズ、ハイブリッド自動再送要求（Ｈｙｂｒｉｄ  Ａｕｔｏｍａｔｉｃ  Ｒｅｐｅａｔ  ａｎｄ  ｒｅＱｕｅｓｔ；ＨＡＲＱ）関連情報などを知らせる。また、アップリンク（Ｕｐｌｉｎｋ；ＵＬ）データに対して、基地局は、アップリンクスケジューリング情報を該当の端末に伝送することで、該当の端末が使用可能な時間／周波数領域、符号化、データサイズ、ハイブリッド自動再送要求関連情報などを知らせる。基地局同士の間には、ユーザトラフィックまたは制御トラフィックの伝送のためのインターフェースを用いることができる。コアネットワーク（Ｃｏｒｅ  Ｎｅｔｗｏｒｋ；ＣＮ）は、ＡＧ、及び端末のユーザ登録などのためのネットワークノードなどで構成することができる。ＡＧは、複数のセルで構成されるＴＡ（Ｔｒａｃｋｉｎｇ  Ａｒｅａ）単位で端末の移動性を管理する。
【０００６】
無線通信技術はＷＣＤＭＡに基づいてＬＴＥにまで開発されてきたが、ユーザと事業者の要求と期待は増す一方である。その上、他の無線接続技術の開発が続いてきており、将来、競争力を持つためには新しい技術進化が要求される。ビット当たりのコストの削減、サービス可用性の増大、柔軟な周波数バンドの使用、単純構造と開放型インターフェース、端末の適度なパワー消耗などが要求される。
【０００７】
近年、３ＧＰＰは、ＬＴＥに後続する技術に対する標準化作業を進行中である。該技術を、本明細書では「ＬＴＥ−Ａｄｖａｎｃｅｄ」または「ＬＴＥ−Ａ」と称する。ＬＴＥシステムとＬＴＥ−Ａシステムとの主な相違点の一つは、システム帯域幅が異なることである。ＬＴＥ−Ａシステムは、最大１００ＭＨｚの広帯域を支援することを目指しており、そのために、複数の周波数ブロックを用いて広帯域を達成する搬送波集約（ｃａｒｒｉｅｒ  ａｇｇｒｅｇａｔｉｏｎまたはｂａｎｄｗｉｄｔｈ  ａｇｇｒｅｇａｔｉｏｎ）技術を用いるようにしている。搬送波集約は、より広い周波数帯域を使用するために、複数の周波数ブロックを一つの大きな論理周波数帯域として用いるようにする。各周波数ブロックの帯域幅は、ＬＴＥシステムで用いられるシステムブロックの帯域幅に基づいて定義されればよい。それぞれの周波数ブロックはコンポーネント搬送波を用いて伝送される。
【発明の概要】
【発明が解決しようとする課題】
【０００８】
本発明の目的は、無線通信システムにおいて端末が基地局にサウンディング参照信号を送信する方法及びそのための装置を提供することにある。
【０００９】
本発明で達成しようとする技術的課題は、以上に言及した技術的課題に制限されるものではなく、言及していない別の技術的課題は、下の記載から、本発明の属する技術の分野における通常の知識を有する者には明確に理解されるであろう。
【課題を解決するための手段】
【００１０】
本発明の一様相である、無線通信システムにおいて端末がサウンディング参照信号を伝送する方法は、周期的サウンディング参照信号を基地局に伝送するステップと、前記基地局から追加的サウンディング参照信号の伝送指示を受信するステップと、前記周期的サウンディング参照信号及び前記追加的サウンディング参照信号を周波数軸または時間軸に多重化するステップと、前記多重化された周期的サウンディング参照信号及び追加的サウンディング参照信号を前記基地局に伝送するステップと、を含むことを特徴とする。ここで、前記追加的サウンディング参照信号は、サブフレームの最後のシンボルを通じて前記基地局に伝送される。
【００１１】
また、前記多重化するステップは、前記周期的サウンディング参照信号の伝送コムパラメータと前記追加的サウンディング参照信号の伝送コムパラメータを互いに異なるように設定するステップを含むことができる。
【００１２】
あるいは、前記多重化するステップは、前記追加的サウンディング参照信号が伝送されるサブフレームに、前記周期的サウンディング参照信号が伝送されるサブフレームを基準に所定のサブフレームオフセット値を適用するステップを含むことができる。ここで、前記所定のサブフレームオフセット値を前記基地局から受信するステップをさらに含むことができ、前記所定のサブフレームオフセット値は前記周期的サウンディング参照信号の伝送周期よりも小さいことを特徴とする。
【００１３】
本発明の他の様相である、無線通信システムにおいて端末がサウンディング参照信号を伝送する方法は、周期的サウンディング参照信号を前記基地局に伝送するステップと、基地局から追加的サウンディング参照信号の伝送指示を受信するステップと、前記周期的サウンディング参照信号及び前記追加的サウンディング参照信号を同一シンボルを通じて伝送する場合、前記周期的サウンディング参照信号及び前記追加的サウンディング参照信号のいずれか一方をドロッピング（ｄｒｏｐｐｉｎｇ）するステップを含むことを特徴とする。
【００１４】
一方、本発明のさらに他の様相である無線通信システムにおける端末装置は、周期的サウンディング参照信号及び追加的サウンディング参照信号を基地局に伝送する送信モジュールと、前記基地局から追加的サウンディング参照信号の伝送指示を受信する受信モジュールと、前記周期的サウンディング参照信号及び前記追加的サウンディング参照信号を周波数軸または時間軸に多重化するプロセッサと、を含むことを特徴とする。ここで、前記プロセッサは、前記追加的サウンディング参照信号を伝送するための時間リソースとしてサブフレームの最後のシンボルを割り当てる。
【００１５】
また、前記プロセッサが、前記周期的サウンディング参照信号の伝送コムパラメータと前記追加的サウンディング参照信号の伝送コムパラメータを互いに異なるように設定できる。
【００１６】
あるいは、前記プロセッサが、前記追加的サウンディング参照信号が伝送されるサブフレームに、前記周期的サウンディング参照信号が伝送されるサブフレームを基準に所定のサブフレームオフセット値を適用できる。ここで、前記受信モジュールは、前記基地局から前記所定のサブフレームオフセット値を受信することができ、前記所定のサブフレームオフセット値は、前記周期的サウンディング参照信号の伝送周期よりも小さいことを特徴とする。
【００１７】
一方、本発明のさらに他の様相である無線通信システムにおける端末装置は、周期的サウンディング参照信号及び追加的サウンディング参照信号を基地局に伝送する送信モジュールと、基地局から前記追加的サウンディング参照信号の伝送指示を受信する受信モジュールと、前記周期的サウンディング参照信号及び前記追加的サウンディング参照信号に同一シンボルが割り当てられる場合、前記周期的サウンディング参照信号及び前記追加的サウンディング参照信号のいずれか一方をドロッピングするプロセッサと、を含むことを特徴とする。
（項目１）
無線通信システムにおいて端末がサウンディング参照信号を伝送する方法であって、
周期的サウンディング参照信号を基地局に伝送し、
前記基地局から追加的サウンディング参照信号の伝送指示を受信し、
前記周期的サウンディング参照信号及び前記追加的サウンディング参照信号を周波数軸または時間軸に多重化し、
前記多重化された周期的サウンディング参照信号及び追加的サウンディング参照信号を前記基地局に伝送すること、
を含む、サウンディング参照信号伝送方法。
（項目２）
前記追加的サウンディング参照信号は、サブフレームの最後のシンボルを通じて前記基地局に伝送される、項目１に記載のサウンディング参照信号伝送方法。
（項目３）
前記多重化することは、
前記周期的サウンディング参照信号の伝送コムパラメータ及び前記追加的サウンディング参照信号の伝送コムパラメータを互いに異なるように設定することを含む、項目２に記載のサウンディング参照信号伝送方法。
（項目４）
前記多重化することは、
前記追加的サウンディング参照信号が伝送されるサブフレームに、前記周期的サウンディング参照信号が伝送されるサブフレームを基準に所定のサブフレームオフセット値を適用することを含む、項目２に記載のサウンディング参照信号伝送方法。
（項目５）
前記所定のサブフレームオフセット値を前記基地局から受信することをさらに含む、項目４に記載のサウンディング参照信号伝送方法。
（項目６）
前記所定のサブフレームオフセット値は、前記周期的サウンディング参照信号の伝送周期よりも小さい、項目４に記載のサウンディング参照信号伝送方法。
（項目７）
無線通信システムにおいて端末がサウンディング参照信号を伝送する方法であって、
周期的サウンディング参照信号を前記基地局に伝送し、
基地局から追加的サウンディング参照信号の伝送指示を受信し、
前記周期的サウンディング参照信号及び前記追加的サウンディング参照信号を同一シンボルを通じて伝送する場合、前記周期的サウンディング参照信号及び前記追加的サウンディング参照信号のいずれか一方をドロッピングすること、
を含む、サウンディング参照信号伝送方法。
（項目８）
無線通信システムにおける端末装置であって、
周期的サウンディング参照信号及び追加的サウンディング参照信号を基地局に伝送する送信モジュールと、
前記基地局から追加的サウンディング参照信号の伝送指示を受信する受信モジュールと、
前記周期的サウンディング参照信号及び前記追加的サウンディング参照信号を周波数軸または時間軸に多重化するプロセッサと、
を含む、端末装置。
（項目９）
前記プロセッサは、
前記追加的サウンディング参照信号を伝送するための時間リソースとしてサブフレームの最後のシンボルを割り当てる、項目８に記載の端末装置。
（項目１０）
前記プロセッサは、
前記周期的サウンディング参照信号の伝送コムパラメータと前記追加的サウンディング参照信号の伝送コムパラメータを互いに異なるように設定する、項目９に記載の端末装置。
（項目１１）
前記プロセッサは、
前記追加的サウンディング参照信号が伝送されるサブフレームに、前記周期的サウンディング参照信号が伝送されるサブフレームを基準に所定のサブフレームオフセット値を適用する、項目９に記載の端末装置。
（項目１２）
前記受信モジュールは、
前記基地局から前記所定のサブフレームオフセット値を受信する、項目１１に記載の端末装置。
（項目１３）
前記所定のサブフレームオフセット値は、前記周期的サウンディング参照信号の伝送周期よりも小さい、項目１１に記載の端末装置。
（項目１４）
無線通信システムにおける端末装置であって、
周期的サウンディング参照信号及び追加的サウンディング参照信号を基地局に伝送する送信モジュールと、
基地局から前記追加的サウンディング参照信号の伝送指示を受信する受信モジュールと、
前記周期的サウンディング参照信号及び前記追加的サウンディング参照信号に同一シンボルが割り当てられる場合、前記周期的サウンディング参照信号及び前記追加的サウンディング参照信号のいずれか一方をドロッピングするプロセッサと、
を含む、端末装置。
【発明の効果】
【００１８】
本発明の実施例によれば、無線通信システムにおいて端末が効果的にサウンディング参照信号を送信することが可能になる。
【００１９】
本発明で得られる効果は、以上に言及した効果に制限されず、言及していない別の効果は、下の記載から、本発明の属する技術の分野における通常の知識を有する者には明確に理解されるであろう。
【図面の簡単な説明】
【００２０】
【図１】移動通信システムの一例として、Ｅ−ＵＭＴＳネットワーク構造を概略的に示す図である。
【図２】３ＧＰＰ無線接続網規格に基づく端末とＥ−ＵＴＲＡＮとの間の無線インターフェースプロトコル（Ｒａｄｉｏ  Ｉｎｔｅｒｆａｃｅ  Ｐｒｏｔｏｃｏｌ）の制御プレーン（Ｃｏｎｔｒｏｌ  Ｐｌａｎｅ）及びユーザプレーン（Ｕｓｅｒ  Ｐｌａｎｅ）構造を示す図である。
【図３】３ＧＰＰシステムに用いられる物理チャネル及びこれらのチャネルを用いた一般的な信号伝送方法を説明するための図である。
【図４】ＬＴＥシステムで用いられる無線フレームの構造を例示する図である。
【図５】ＬＴＥシステムで用いられるアップリンクサブフレームの構造を示す図である。
【図６】本発明の実施例に係る周期的サウンディング参照信号及び追加的サウンディング参照信号の多重化方法の例示図である。
【図７】本発明の他の実施例に係る周期的サウンディング参照信号及び追加的サウンディング参照信号の多重化方法の例示図である。
【図８】本発明の一実施例に係る通信送受信機を例示するブロック構成図である。
【発明を実施するための形態】
【００２１】
以下に添付の図面を参照して説明された本発明の実施例から、本発明の構成、作用及び他の特徴が容易に理解されるであろう。以下に説明される実施例は、本発明の技術的特徴が３ＧＰＰシステムに適用された例である。
【００２２】
以下、システム帯域が単一周波数ブロックを使用するシステムを、レガシーシステム（ｌｅｇａｃｙ  ｓｙｓｔｅｍ）または狭帯域システム（ｎａｒｒｏｗｂａｎｄ  ｓｙｓｔｅｍ）と呼ぶ。これに対応して、システム帯域が複数の周波数ブロックを含み、且つ少なくとも一つの周波数ブロックをレガシーシステムのシステムブロックとするシステムを、進化したシステム（ｅｖｏｌｖｅｄ  ｓｙｓｔｅｍ）または広帯域システム（ｗｉｄｅｂａｎｄ  ｓｙｓｔｅｍ）と呼ぶ。レガシーシステムブロックに用いられる周波数ブロックは、レガシーシステムのシステムブロックと同じサイズを有するが、残りの周波数ブロックのサイズは特に制限されない。しかし、システムの単純化のために、これら残りの周波数ブロックのサイズも、レガシーシステムのシステムブロックサイズに基づいて決定されてもよい。例えば、３ＧＰＰ  ＬＴＥシステムと３ＧＰＰ  ＬＴＥ−Ａシステムは、レガシーシステムと進化したシステムの関係にある。
【００２３】
上述の定義に基づき、本明細書において、３ＧＰＰ  ＬＴＥシステムをＬＴＥシステムまたはレガシーシステムと呼ぶ。また、ＬＴＥシステムを支援する端末を、ＬＴＥ端末またはレガシー端末と呼ぶ。これに対応して、３ＧＰＰ  ＬＴＥ−ＡシステムをＬＴＥ−Ａシステムまたは進化したシステムと呼ぶ。また、ＬＴＥ−Ａシステムを支援する端末を、ＬＴＥ−Ａ端末または進化した端末と呼ぶ。
【００２４】
便宜上、本明細書ではＬＴＥシステム及びＬＴＥ−Ａシステムを用いて本発明の実施例を説明するが、これは例示に過ぎなず、本発明の実施例は、上述した定義に該当するいかなる通信システムにも適用可能である。また、本明細書は、ＦＤＤ方式を基準にして本発明の実施例について説明するが、これは例示に過ぎず、本発明の実施例は、Ｈ−ＦＤＤ方式またはＴＤＤ方式にも容易に変形して適用することができる。
【００２５】
図２は、３ＧＰＰ無線接続網規格に基づく端末とＥ−ＵＴＲＡＮとの間の無線インターフェースプロトコル（Ｒａｄｉｏ  Ｉｎｔｅｒｆａｃｅ  Ｐｒｏｔｏｃｏｌ）の制御プレーン及びユーザプレーンの構造を示す図である。制御プレーンとは、端末（ＵＥ）とネットワークとが呼を管理するために用いる制御メッセージが伝送される通路のことを意味する。ユーザプレーンとは、アプリケーション層で生成されたデータ、例えば、音声データまたはインターネットパケットデータなどが伝送される通路のことを意味する。
【００２６】
第１層である物理層は、物理チャネル（Ｐｈｙｓｉｃａｌ  Ｃｈａｎｎｅｌ）を用いて上位層に情報伝送サービス（Ｉｎｆｏｒｍａｔｉｏｎ  Ｔｒａｎｓｆｅｒ  Ｓｅｒｖｉｃｅ）を提供する。物理層は、上位の媒体接続制御（Ｍｅｄｉｕｍ  Ａｃｃｅｓｓ  Ｃｏｎｔｒｏｌ）層とは伝送チャネル（Ｔｒａｎｓｐｏｒｔ  Ｃｈａｎｎｅｌ）を通じて接続されている。該伝送チャネルを通じて媒体接続制御層と物理層との間にデータが移動する。送信側の物理層と受信側の物理層との間には物理チャネルを通じてデータが移動する。該物理チャネルは、時間及び周波数を無線リソースとして活用する。具体的に、物理チャネルは、ダウンリンクにおいてＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、アップリンクにおいてＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００２７】
第２層の媒体接続制御（Ｍｅｄｉｕｍ  Ａｃｃｅｓｓ  Ｃｏｎｔｒｏｌ；ＭＡＣ）層は、論理チャネル（Ｌｏｇｉｃａｌ  Ｃｈａｎｎｅｌ）を通じて、上位層である無線リンク制御（Ｒａｄｉｏ  Ｌｉｎｋ  Ｃｏｎｔｒｏｌ；ＲＬＣ）層にサービスを提供する。第２層のＲＬＣ層は、信頼できるデータ伝送を支援する。ＲＬＣ層の機能は、ＭＡＣ内部の機能ブロックで具現されてもよい。第２層のＰＤＣＰ（Ｐａｃｋｅｔ  Ｄａｔａ  Ｃｏｎｖｅｒｇｅｎｃｅ  Ｐｒｏｔｏｃｏｌ）層は、帯域幅の狭い無線インターフェースでＩＰｖ４やＩＰｖ６のようなＩＰパケットを效率的に伝送するために、余分の制御情報を減らすヘッダー圧縮（Ｈｅａｄｅｒ  Ｃｏｍｐｒｅｓｓｉｏｎ）機能を果たす。
【００２８】
第３層の最下部に位置する無線リソース制御（Ｒａｄｉｏ  Ｒｅｓｏｕｒｃｅ  Ｃｏｎｔｒｏｌ；ＲＲＣ）層は、制御プレーンにのみ定義される。ＲＲＣ層は、無線ベアラー（Ｒａｄｉｏ  Ｂｅａｒｅｒ）の設定（Ｃｏｎｆｉｇｕｒａｔｉｏｎ）、再設定（Ｒｅ−ｃｏｎｆｉｇｕｒａｔｉｏｎ）及び解除（Ｒｅｌｅａｓｅ）と関連して、論理チャネル、伝送チャネル及び物理チャネルの制御を担当する。無線ベアラーとは、端末とネットワークとの間のデータ伝達のために第２層により提供されるサービスのことを意味する。そのために、端末のＲＲＣ層とネットワークのＲＲＣ層とはＲＲＣメッセージを互いに交換する。端末のＲＲＣ層とネットワークのＲＲＣとの間にＲＲＣ接続（ＲＲＣ  Ｃｏｎｎｅｃｔｅｄ）がある場合、端末は、ＲＲＣ接続状態（Ｃｏｎｎｅｃｔｅｄ  Ｍｏｄｅ）にあることとなり、そうでない場合は、ＲＲＣ休止状態（Ｉｄｌｅ  Ｍｏｄｅ）にあることとなる。ＲＲＣ層の上位に位置するＮＡＳ（Ｎｏｎ−Ａｃｃｅｓｓ  Ｓｔｒａｔｕｍ）層は、セッション管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を果たす。
【００２９】
基地局（ｅＮＢ）を構成する一つのセルは、１．２５、２．５、５、１０、１５、２０ＭＨｚなどの帯域幅のいずれか一つに設定され、多数の端末に下りまたは上り伝送サービスを提供する。異なるセルは、互いに異なる帯域幅を提供するように設定されればよい。
【００３０】
ネットワークから端末にデータを伝送する下り伝送チャネルは、システム情報を伝送するＢＣＨ（Ｂｒｏａｄｃａｓｔ  Ｃｈａｎｎｅｌ）、ページングメッセージを伝送するＰＣＨ（Ｐａｇｉｎｇ  Ｃｈａｎｎｅｌ）、ユーザトラフィックや制御メッセージを伝送する下りＳＣＨ（Ｓｈａｒｅｄ  Ｃｈａｎｎｅｌ）などがある。下りマルチキャストまたは放送サービスのトラフィックまたは制御メッセージの場合、下りＳＣＨを通じて伝送されてもよく、別の下りＭＣＨ（Ｍｕｌｔｉｃａｓｔ  Ｃｈａｎｎｅｌ）を通じて伝送されてもよい。一方、端末からネットワークにデータを伝送する上り伝送チャネルには、初期制御メッセージを伝送するＲＡＣＨ（Ｒａｎｄｏｍ  Ａｃｃｅｓｓ  Ｃｈａｎｎｅｌ）、ユーザトラフィックや制御メッセージを伝送する上りＳＣＨ（Ｓｈａｒｅｄ  Ｃｈａｎｎｅｌ）がある。伝送チャネルの上位におり、伝送チャネルにマッピングされる論理チャネル（Ｌｏｇｉｃａｌ  Ｃｈａｎｎｅｌ）には、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００３１】
図３は、３ＧＰＰシステムに用いられる物理チャネル及びこれらのチャネルを用いた一般の信号伝送方法を説明するための図である。
【００３２】
端末は、電源が入ったり、新しくセルに進入したりした場合、基地局と同期を合わせる等の初期セル探索（Ｉｎｉｔｉａｌ  ｃｅｌｌ  ｓｅａｒｃｈ）作業を行う（Ｓ３０１）。そのために、端末は、基地局からプライマリ同期チャネル（Ｐｒｉｍａｒｙ  Ｓｙｎｃｈｒｏｎｉｚａｔｉｏｎ  Ｃｈａｎｎｅｌ；Ｐ−ＳＣＨ）及びセカンダリ同期チャネル（Ｓｅｃｏｎｄａｒｙ  Ｓｙｎｃｈｒｏｎｉｚａｔｉｏｎ  Ｃｈａｎｎｅｌ；Ｓ−ＳＣＨ）を受信して基地局と同期を合わせ、セルＩＤなどの情報を獲得することができる。その後、端末は、基地局から物理放送チャネル（Ｐｈｙｓｉｃａｌ  Ｂｒｏａｄｃａｓｔ  Ｃｈａｎｎｅｌ）を受信し、セル内の放送情報を獲得することができる。一方、端末は、初期セル探索段階で、ダウンリンク参照信号（Ｄｏｗｎｌｉｎｋ  Ｒｅｆｅｒｅｎｃｅ  Ｓｉｇｎａｌ；ＤＬＲＳ）を受信し、ダウンリンクチャネル状態を確認することができる。
【００３３】
初期セル探索を終えた端末は、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ；ＰＤＣＣＨ）、及び該ＰＤＣＣＨに載せられた情報に基づいて物理ダウンリンク共有チャネル（Ｐｈｙｓｉｃａｌ  Ｄｏｗｎｌｉｎｋ  Ｃｏｎｔｒｏｌ  Ｃｈａｎｎｅｌ；ＰＤＳＣＨ）を受信することによって、より具体的なシステム情報を獲得することができる（Ｓ３０２）。
【００３４】
一方、基地局に最初に接続したり信号伝送のための無線リソースがない場合、端末は、基地局にランダムアクセス手順（Ｒａｎｄｏｍ  Ａｃｃｅｓｓ  Ｐｒｏｃｅｄｕｒｅ；ＲＡＣＨ）を行うことができる（段階Ｓ３０３乃至段階Ｓ３０６）。そのために、端末は、物理ランダムアクセスチャネル（Ｐｈｙｓｉｃａｌ  Ｒａｎｄｏｍ  Ａｃｃｅｓｓ  Ｃｈａｎｎｅｌ；ＰＲＡＣＨ）を通じて特定シーケンスをプリアンブルとして伝送し（Ｓ３０３及びＳ３０５）、ＰＤＣＣＨ及び対応するＰＤＳＣＨを通じて、プリアンブルに対する応答メッセージを受信することができる（Ｓ３０４及びＳ３０６）。競合ベースのＲＡＣＨの場合、衝突解決手順（Ｃｏｎｔｅｎｔｉｏｎ  Ｒｅｓｏｌｕｔｉｏｎ  Ｐｒｏｃｅｄｕｒｅ）をさらに行うことができる。
【００３５】
上述の手順を行った端末は、以降、一般的なアップリンク／ダウンリンク信号伝送手順として、ＰＤＣＣＨ／ＰＤＳＣＨ受信（Ｓ３０７）及び物理アップリンク共有チャネル（Ｐｈｙｓｉｃａｌ  Ｕｐｌｉｎｋ  Ｓｈａｒｅｄ  Ｃｈａｎｎｅｌ；ＰＵＳＣＨ）／物理アップリンク制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）伝送（Ｓ３０８）を行うことができる。端末がアップリンクを通じて基地局に伝送するまたは端末が基地局から受信する制御情報は、ダウンリンク／アップリンクＡＣＫ／ＮＡＣＫ信号、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｅｘ）、ＲＩ（Ｒａｎｋ  Ｉｎｄｉｃａｔｏｒ）などを含む。３ＧＰＰ  ＬＴＥシステムでは、端末は、これらのＣＱＩ／ＰＭＩ／ＲＩなどの制御情報をＰＵＳＣＨ及び／またはＰＵＣＣＨを通じて伝送することができる。
【００３６】
図４は、ＬＴＥシステムで用いられる無線フレームの構造を例示する図である。
【００３７】
図４を参照すると、無線フレーム（ｒａｄｉｏ  ｆｒａｍｅ）は、１０ｍｓ（３２７２００・Ｔｓ）の長さを有し、１０個の均等なサイズのサブフレーム（ｓｕｂｆｒａｍｅ）で構成されている。それぞれのサブフレームは、１ｍｓの長さを有し、２個のスロット（ｓｌｏｔ）で構成されている。各スロットは、０．５ｍｓ（１５３６０・Ｔｓ）の長さを有する。ここで、Ｔｓは、サンプリング時間を表し、Ｔｓ＝１／（１５ｋＨｚ×２０４８）＝３．２５５２×１０−８（約３３ｎｓ）で表示される。スロットは、時間領域において複数のＯＦＤＭシンボルあるいはＳＣ−ＦＤＭＡシンボルを含み、周波数領域において複数のリソースブロック（Ｒｅｓｏｕｒｃｅ  Ｂｌｏｃｋ）を含む。ＬＴＥシステムにおいて、１リソースブロックは、１２個の副搬送波×７（６）個のＯＦＤＭシンボルあるいはＳＣ−ＦＤＭＡシンボルを含む。データが伝送される単位時間であるＴＴＩ（Ｔｒａｎｓｍｉｓｓｉｏｎ  Ｔｉｍｅ  Ｉｎｔｅｒｖａｌ）は、一つ以上のサブフレーム単位に定めればよい。上記の無線フレームの構造は例示に過ぎず、無線フレームに含まれるサブフレームの数またはサブフレームに含まれるスロットの数、スロットに含まれるＯＦＤＭシンボルあるいはＳＣ−ＦＤＭＡシンボルの数は種々に変更可能である。
【００３８】
図５は、ＬＴＥシステムで用いられるアップリンクサブフレームの構造を示す図である。
【００３９】
図５を参照すると、ＬＴＥアップリンク伝送の基本単位である１ｍｓ長のサブフレーム５００は、２つの０．５ｍｓスロット５０１で構成される。一般（Ｎｏｒｍａｌ）サイクリックプレフィックス（Ｃｙｃｌｉｃ  Ｐｒｅｆｉｘ、ＣＰ）の長さを想定すると、各スロットは７個のシンボル５０２で構成され、一つのシンボルは、一つのＳＣ−ＦＤＭＡシンボルに対応する。リソースブロック（Ｒｅｓｏｕｒｃｅ  Ｂｌｏｃｋ）５０３は、周波数領域において１２個の副搬送波、そして時間領域において１スロットに該当するリソース割当単位である。ＬＴＥのアップリンクサブフレームの構造は、データ領域５０４と制御領域５０５とに大別される。ここで、データ領域は、各端末に伝送される音声、パケットなどのデータを送信するために用いられる一連の通信リソースを意味し、サブフレーム内において制御領域以外のリソースに該当する。制御領域は、各端末からのダウンリンクチャネル品質報告、ダウンリンク信号に対する受信ＡＣＫ／ＮＡＣＫ、アップリンクスケジューリング要請などを送信するために用いられる一連の通信リソースを意味する。
【００４０】
図５に示す例のように、１つのサブフレーム内でサウンディング参照信号が伝送されうる領域５０６は、１つのサブフレームにおいて、時間軸上では最後に位置するＳＣ−ＦＤＭＡシンボルの区間であり、周波数上ではデータ伝送帯域を通じて伝送される。同じサブフレームの最後のＳＣ−ＦＤＭＡで搬送される種々の端末のサウンディング参照信号は、周波数位置により区別可能である。
【００４１】
また、サウンディング参照信号は、ＣＡＺＡＣ（Ｃｏｎｓｔａｎｔ  Ａｍｐｌｉｔｕｄｅ  Ｚｅｒｏ  Ａｕｔｏ  Ｃｏｒｒｅｌａｔｉｏｎ）シーケンスで構成され、複数の端末から伝送されたサウンディング参照信号は、下記の数学式１から得られる互いに異なる巡回シフト（ｃｙｃｌｉｃ  ｓｈｉｆｔ）値（α）を有するＣＡＺＡＣシーケンス
【００４２】
【化１】
0005709848.tif 000002
である。
【００４３】
【数１】
0005709848.tif 000003
ここで、
【００４４】
【化２】
0005709848.tif 000004
は、上位層によって各端末に設定される値であり、０〜７の整数値を有する。したがって、巡回シフト値は、
【００４５】
【化３】
0005709848.tif 000005
によって８個の値を有することができる。
【００４６】
一つのＣＡＺＡＣシーケンスから巡回シフトを通じて生成されたＣＡＺＡＣシーケンスはそれぞれ、自身と異なる巡回シフト値を有するシーケンスと零の相関値（ｚｅｒｏ−ｃｏｒｒｅｌａｔｉｏｎ）を有する特性がある。このような特性を用いて、同一の周波数領域のサウンディング参照信号はＣＡＺＡＣシーケンス巡回シフト値によって区別することができる。各端末のサウンディング参照信号は、基地局で設定するパラメータによって周波数上に割り当てられる。端末は、アップリンクデータ伝送帯域幅全体でサウンディング参照信号を伝送できるようにサウンディング参照信号の周波数跳躍を行う。
【００４７】
以下では、ＬＴＥシステムにおいてサウンディング参照信号を送信するための物理リソースをマッピングする具体的な方法について説明する。
【００４８】
サウンディング参照信号シーケンス
【００４９】
【化４】
0005709848.tif 000006
は、まず、送信電力
【００５０】
【化５】
0005709848.tif 000007
を満たすために振幅スケーリング因子
【００５１】
【化６】
0005709848.tif 000008
がかけられた後、インデックスが
【００５２】
【化７】
0005709848.tif 000009
であるリソース要素（Ｒｅｓｏｕｒｃｅ  Ｅｌｅｍｅｎｔ；ＲＥ）に、
【００５３】
【化８】
0005709848.tif 000010
から、下記の数学式２に従ってマッピングされる。
【００５４】
【数２】
0005709848.tif 000011
ここで、
【００５５】
【化９】
0005709848.tif 000012
は、サウンディング参照信号の周波数領域の始点を表し、下記の数学式３のように定義される。
【００５６】
【数３】
0005709848.tif 000013
ただし、
【００５７】
【化１０】
0005709848.tif 000014
は、周波数位置インデックスを表す。また、一般的なアップリンクサブフレームのための
【００５８】
【化１１】
0005709848.tif 000015
は、下記の数学式４のように定義され、アップリンクパイロットタイムスロット（ＵｐＰＴＳ）のための
【００５９】
【化１２】
0005709848.tif 000016
は、下記の数学式５のように定義される。
【００６０】
【数４】
0005709848.tif 000017
【００６１】
【数５】
0005709848.tif 000018
数学式４及び数学式５で、
【００６２】
【化１３】
0005709848.tif 000019
は、上位層を通じて端末にシグナリングされる伝送コム（ｔｒａｎｓｍｉｓｓｉｏｎＣｏｍｂ）パラメータであり、０または１の値を有する。また、
【００６３】
【化１４】
0005709848.tif 000020
は、第１ハーフフレーム（ｈａｌｆｆｒａｍｅ）のアップリンクパイロットタイムスロットでは０であり、第２ハーフフレームのアップリンクパイロットタイムスロットでは０である。
【００６４】
【化１５】
0005709848.tif 000021
は、下記の数学式６のように定義された副搬送波単位で表現されたサウンディング参照信号シーケンスの長さ、すなわち、帯域幅である。
【００６５】
【数６】
0005709848.tif 000022
数学式６で、
【００６６】
【化１６】
0005709848.tif 000023
は、下記の表１乃至表４に示すように、アップリンク帯域幅
【００６７】
【化１７】
0005709848.tif 000024
に応じて基地局からシグナリングされる値である。
【００６８】
【化１８】
0005709848.tif 000025
を獲得するために、０乃至７の整数値であるセル特定パラメータ
【００６９】
【化１９】
0005709848.tif 000026
及び０乃至３の整数値である端末特定パラメータ
【００７０】
【化２０】
0005709848.tif 000027
が必要である。このような
【００７１】
【化２１】
0005709848.tif 000028
の値は上位層により与えられる。
【００７２】
【表１】
0005709848.tif 000029
【００７３】
【表２】
0005709848.tif 000030
【００７４】
【表３】
0005709848.tif 000031
【００７５】
【表４】
0005709848.tif 000032
上述したように、アップリンクデータ伝送帯域幅全体でサウンディング参照信号を伝送できるように、端末は、サウンディング参照信号の周波数跳躍（ｆｒｅｑｕｅｎｃｙ  ｈｏｐｐｉｎｇ）を行うことができ、このような周波数跳躍は、上位層から与えられた０乃至３の値を有するパラメータ
【００７６】
【化２２】
0005709848.tif 000033
によって設定される。
【００７７】
サウンディング参照信号の周波数跳躍が非活性化された場合、すなわち、
【００７８】
【化２３】
0005709848.tif 000034
の場合、周波数位置インデックス
【００７９】
【化２４】
0005709848.tif 000035
は、下記の数学式７のように一定の値を有する。ここで、
【００８０】
【化２５】
0005709848.tif 000036
は、上位層から与えられるパラメータとする。
【００８１】
【数７】
0005709848.tif 000037
一方、サウンディング参照信号の周波数跳躍が活性化された場合、すなわち、
【００８２】
【化２６】
0005709848.tif 000038
の場合、周波数位置インデックス
【００８３】
【化２７】
0005709848.tif 000039
は、下記の数学式８及び数学式９によって定義される。
【００８４】
【数８】
0005709848.tif 000040
【００８５】
【数９】
0005709848.tif 000041
ここで、
【００８６】
【化２８】
0005709848.tif 000042
は、サウンディング参照信号を送信した回数を計算するパラメータであり、下記の数学式１０で示される。
【００８７】
【数１０】
0005709848.tif 000043
数学式１０で、
【００８８】
【化２９】
0005709848.tif 000044
はサウンディング参照信号の周期であり、
【００８９】
【化３０】
0005709848.tif 000045
はサウンディング参照信号のサブフレームオフセットを表す。また、
【００９０】
【化３１】
0005709848.tif 000046
はスロット番号、
【００９１】
【化３２】
0005709848.tif 000047
はフレーム番号を表す。
【００９２】
端末特定のサウンディング参照信号の周期
【００９３】
【化３３】
0005709848.tif 000048
とサブフレームオフセット
【００９４】
【化３４】
0005709848.tif 000049
を設定するための端末特定サウンディング参照信号設定インデックス
【００９５】
【化３５】
0005709848.tif 000050
は、ＦＤＤとＴＤＤによってそれぞれ下記の表５及び表６のように表される。特に、表５はＦＤＤの場合、表６はＴＤＤの場合を表す。
【００９６】
【表５】
0005709848.tif 000051
【００９７】
【表６】
0005709848.tif 000052
上述した既存のＬＴＥシステムのサウンディング参照信号は、周期的サウンディング参照信号を意味する。一方、ＬＴＥ−Ａシステムでは、イベント発生条件付きサウンディング参照信号である追加的サウンディング参照信号が定義できる。すなわち、アップリンクＭＩＭＯ伝送のために基地局がサウンディング参照信号伝送を要請した場合、または他の理由によって基地局がアップリンクチャネル状態情報を要請した場合などには、ＬＴＥ−Ａシステムで定義する追加的サウンディング参照信号が、上記の周期的サウンディング参照信号とは別個に伝送される必要がある。
【００９８】
一方、追加的サウンディング参照信号の伝送のために、既存サウンディング参照信号を伝送するためのリソースを再使用することを考慮することができ、この場合、１つのサブフレームの最後のシンボルを通じて周期的サウンディング参照信号と追加的サウンディング参照信号が同時に割り当てられればよいので、これを效果的に多重化する方法が要求される。以下では、周期的サウンディング参照信号及び追加的サウンディング参照信号の多重化方法に関して具体的に説明する。
【００９９】
１）周期的サウンディング参照信号及び追加的サウンディング参照信号の多重化方法の第一の方案として、互いに異なる反復因子（Ｒｅｐｅｔｉｔｉｏｎ  Ｆａｃｔｏｒ）を用いて多重化する方案を提案する。より具体的に、ＬＴＥシステムで定義された周期的サウンディング参照信号は、反復因子値に２を用いる。すなわち、伝送コムパラメータが０の場合、奇数インデックス（あるいは偶数インデックス）を有する副搬送波を通じて該当の端末特定サウンディング帯域幅で周期的サウンディング参照信号を伝送し、伝送コムパラメータが１の場合、偶数インデックス（あるいは奇数インデックス）を有する副搬送波を通じて周期的サウンディング参照信号を伝送すると定義されている。
【０１００】
このような場合では、一つのシンボルを通じて周期的サウンディング参照信号と追加的サウンディング参照信号を同時に伝送すべきであれば、両信号に互いに異なる伝送コムパラメータを設定することで、同時に伝送可能にすることができる。
【０１０１】
図６は、本発明の実施例に係る周期的サウンディング参照信号及び追加的サウンディング参照信号の多重化方法を例示する図である。ただし、図６では、説明の便宜のために、周期的サウンディング参照信号の帯域幅と追加的サウンディング参照信号の帯域幅は、全体サウンディング帯域の半分であると仮定する。
【０１０２】
図６を参照すると、周期的サウンディング参照信号に伝送コムパラメータ０を設定することで、奇数インデックスを有する副搬送波を通じて該当の端末特定サウンディング帯域幅で周期的サウンディング参照信号を伝送し、追加的サウンディング参照信号に伝送コムパラメータを１を設定することで、偶数インデックスを有する副搬送波を通じて追加的サウンディング参照信号を伝送することがわかる。
【０１０３】
２）周期的サウンディング参照信号及び追加的サウンディング参照信号の多重化方法の第二の方案として、周期的サウンディング参照信号及び追加的サウンディング参照信号が互いに異なる時間的リソースを通じて伝送されるように、追加的サウンディング参照信号が伝送されるサブフレームの設定を、当該周期的サウンディング参照信号が伝送されるように設定されたサブフレームを基準にオフセット値で設定することで多重化する方案を考慮できる。すなわち、周期的サウンディング参照信号及び追加的サウンディング参照信号を、時分割多重化方式でリソースを割り当てて伝送する方式といえる。このようなサブフレームオフセット値は、半静的にＲＲＣ層を通じてシグナリングでき、あるいは動的にＬ１／Ｌ２制御シグナリングを通じて指示できる。
【０１０４】
これについてより具体的に説明すると、周期的サウンディング参照信号の周期が１ｍｓである場合以外は、該当のサブフレームでは周期的サウンディング参照信号または追加的サウンディング参照信号のいずれか一方の伝送時点でサブフレームオフセット値を適用して伝送遅延させる。例えば、周期的サウンディング参照信号の周期が２ｍｓ（あるいは２サブフレーム）である場合、サブフレームオフセット値は１ｍｓ（あるいは１サブフレーム）に設定できる。また、周期的サウンディング参照信号の周期が５ｍｓ（あるいは５サブフレーム）である場合、サブフレームオフセット値は１、２、３、４ｍｓ（あるいは１、２、３、４サブフレーム）のいずれか一つに設定できる。同様に、周期的サウンディング参照信号の周期が１０ｍｓ（あるいは１０サブフレーム）である場合、サブフレームオフセット値は１、２、３、４、…、９ｍｓ（あるいは１、２、３、４、…、９サブフレーム）のいずれか一つに設定できる。
【０１０５】
図７は、本発明の他の実施例に係る周期的サウンディング参照信号及び追加的サウンディング参照信号の多重化方法を例示する図である。
【０１０６】
図７を参照すると、周期が２サブフレームである周期的サウンディング参照信号が送信される中で、サブフレームインデックス２（７００）、サブフレームインデックス５（７０５）及びサブフレームインデックス９（７１０）で端末が追加的サウンディング参照信号を基地局に伝送するように基地局が指示したとしよう。この場合、本発明の他の実施例では、サブフレームオフセット値として１サブフレームを設定し、時分割多重化方式で伝送することができる。すなわち、サブフレームインデックス２（７００）では、周期的サウンディング参照信号のためのリソースが割り当てられないため、追加的サウンディング参照信号のための別途のサーフフレームオフセットが不要であるが、サブフレームインデックス５（７０５）及びサブフレームインデックス９（７１０）では、サブフレームオフセット値として１サブフレームを設定し、サブフレームインデックス６及びサブフレームインデックス１０で追加的サウンディング参照信号を伝送できる。
【０１０７】
３）最後に、周期的サウンディング参照信号と追加的サウンディング参照信号とが同一のシンボルを通じて伝送されるように設定された場合、単一搬送波特性を維持するために、該当のサブフレームの該当のシンボルにおいて両信号のうちいずれかのサウンディング参照信号をドロッピング（ｄｒｏｐｐｉｎｇ）する方案を考慮できる。
【０１０８】
より具体的に、追加的サウンディング参照信号は、一回的に伝送されることがあり、またアップリンクＭＩＭＯ伝送を支援するために複数のアンテナに伝送されることがある。したがって、このような場合では、追加的サウンディング参照信号の優先順位が周期的サウンディング参照信号よりも大きいと見られるので、該当のサブフレームにおける周期的サウンディング参照信号をドロッピングする。
【０１０９】
しかし、周期的サウンディング参照信号が全帯域サウンディングである場合は、周期的サウンディング参照信号を伝送し、追加的サウンディング参照信号をドロッピングすることが好ましい。ただし、この場合、スケジューラが、追加的サウンディング参照信号を伝送するか否かに関する指示を、動的にシグナリングするという仮定が要求されることがある。したがって、端末動作の立場で追加的な非周期的サウンディング参照信号と周期的サウンディング参照信号とが同時に一つのサブフレーム及び同一のシンボルにおいて構成される場合、非周期的サウンディング参照信号をドロッピングする動作を端末に適用できる。
【０１１０】
図８は、本発明の一実施例に係る通信送受信機を例示するブロック構成図である。送受信機は、基地局または端末の一部でよい。
【０１１１】
図８を参照すると、送受信機８００は、プロセッサ８１０、メモリー８２０、ＲＦモジュール８３０、ディスプレイモジュール８４０及びユーザインターフェースモジュール８５０を含む。
【０１１２】
送受信機８００は、説明の便宜のために示されたもので、一部のモジュールは省略されてもよい。また、送受信機８００は、必要なモジュールをさらに含んでもよい。また、送受信機８００において、一部のモジュールは、より細分化したモジュールにしてもよい。プロセッサ８１０は、図面を参照して例示した本発明の実施例に係る動作を行うように構成される。
【０１１３】
具体的に、送受信機８００が基地局の一部である場合に、プロセッサ８１０は、制御信号を生成して、複数の周波数ブロック内に設定された制御チャネルにマッピングする機能を果たすことができる。また、送受信機８００が端末の一部である場合に、プロセッサ８１０は、複数の周波数ブロックから受信された信号から、自身に指示された制御チャネルを確認し、その制御チャネルから制御信号を抽出することができる。
【０１１４】
その後、プロセッサ８１０は、制御信号に基づいて必要な動作を行うことができる。プロセッサ８１０の詳細な動作は、図１乃至図７に記載された内容を参照すればよい。
【０１１５】
メモリー８２０は、プロセッサ８１０に接続し、オペレーティングシステム、アプリケーション、プログラムコード、データなどを格納する。ＲＦモジュール８３０は、プロセッサ８１０に接続し、基底帯域信号を無線信号に変換したり、無線信号を基底帯域信号に変換する機能を果たす。そのために、ＲＦモジュール８３０は、アナログ変換、増幅、フィルタリング及び周波数アップ変換またはそれらの逆過程を行う。ディスプレイモジュール８４０は、プロセッサ８１０に接続し、様々な情報をディスプレイする。ディスプレイモジュール８４０は、特に制限されるものではないが、ＬＣＤ（Ｌｉｑｕｉｄ  Ｃｒｙｓｔａｌ  Ｄｉｓｐｌａｙ）、ＬＥＤ（Ｌｉｇｈｔ  Ｅｍｉｔｔｉｎｇ  Ｄｉｏｄｅ）、ＯＬＥＤ（Ｏｒｇａｎｉｃ  Ｌｉｇｈｔ  Ｅｍｉｔｔｉｎｇ  Ｄｉｏｄｅ）のような周知の要素を用いればよい。ユーザインターフェースモジュール８５０は、プロセッサ８１０に接続し、キーパッド、タッチスクリーンなどのような周知のユーザインターフェースの組み合わせで構成されればよい。
【０１１６】
以上説明してきた実施例は、本発明の構成要素及び特徴を所定の形態で結合したものである。各構成要素または特徴は、別の明示的な言及がない限り、選択的なものとして考慮しなければならない。各構成要素または特徴は、他の構成要素や特徴と結合しない形態で実施することもでき、一部の構成要素及び／または特徴を結合して本発明の実施例を構成することも可能である。本発明の実施例で説明される動作の順序は変更可能である。ある実施例の一部の構成や特徴は、別の実施例に含まれてもよく、別の実施例の対応する構成または特徴に取り替えられてもよい。特許請求の範囲において明示的な引用関係にない請求項を結合して実施例を構成したり、出願後の補正により新しい請求項として含めたりすることができることは明らかである。
【０１１７】
本文書で、本発明の実施例は、端末と基地局間のデータ送受信関係を中心に説明された。本文書で基地局により行われるとした特定動作は、場合によっては、その上位ノード（ｕｐｐｅｒ  ｎｏｄｅ）により行われてもよい。すなわち、基地局を含む多数のネットワークノード（ｎｅｔｗｏｒｋ  ｎｏｄｅｓ）からなるネットワークにおいて端末との通信のために行われる様々な動作は、基地局または基地局以外の別のネットワークノードにより行われてもよいことは明らかである。基地局は、固定局（ｆｉｘｅｄ  ｓｔａｔｉｏｎ）、Ｎｏｄｅ  Ｂ、ｅＮｏｄｅ  Ｂ（ｅＮＢ）、アクセスポイント（ａｃｃｅｓｓ  ｐｏｉｎｔ）などの用語に代替可能である。また、端末は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）などの用語に代替可能である。
【０１１８】
本発明による実施例は様々な手段、例えば、ハードウェア、ファームウェア（ｆｉｒｍｗａｒｅ）、ソフトウェアまたはそれらの結合などにより具現することができる。ハードウェアによる具現の場合、本発明の一実施例は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより具現することができる。
【０１１９】
ファームウェアやソフトウェアによる具現の場合、本発明の一実施例は、以上で説明された機能または動作を行うモジュール、手順、関数などの形態で具現されることができる。ソフトウェアコードは、メモリユニットに記憶されて、プロセッサにより駆動されることができる。メモリユニットは、プロセッサの内部または外部に設けられ、既に公知の様々な手段によりプロセッサとデータを授受することができる。
【０１２０】
本発明は、本発明の特徴を逸脱しない範囲で別の特定の形態と具体化されてもよいことは、当業者にとっては自明である。したがって、上記の詳細な説明は、いずれの面においても制限的に解釈されてはならず、例示的なものとして考慮されるべきである。本発明の範囲は、添付の請求項の合理的な解釈により決定すべきであり、本発明の等価的範囲内における変更はいずれも本発明の範囲に含まれる。
【産業上の利用可能性】
【０１２１】
本発明は、無線通信システムに適用することができる。特に、本発明は、周波数集約の適用された無線通信システムにおいてサウンディング参照信号を送信する方法及び装置に適用することができる。
【図１】
0005709848.tif 000053
【図２】
0005709848.tif 000054
【図３】
0005709848.tif 000055
【図４】
0005709848.tif 000056
【図５】
0005709848.tif 000057
【図６】
0005709848.tif 000058
【図７】
0005709848.tif 000059
【図８】
0005709848.tif 000060